(57)【要約】【課題】利用者がサーバの位置情報や認証情報を入力することなく、容易にサーバから携帯端末装置の認証を受ける。【解決手段】サーバ１と、ネットワーク４を介してサーバ１に接続された通信端末装置２と、サーバ１及び通信端末装置２にピアツーピア通信を行う携帯端末装置３とを備えたネットワークシステムにおいて、携帯端末装置３が、ピアツーピア通信により認証情報とサーバ１の位置情報を受信し、この認証情報及び位置情報を通信端末装置２へ送信し、通信端末装置２は、受信した位置情報が示すサーバ１に、ネットワーク４を介して携帯端末装置３の認証を要求し、サーバ１は、記憶している認証情報に基づいて、携帯端末装置３の認証を行う。【選択図】    図１
2009163613.tif 000002
【特許請求の範囲】
【請求項１】
通信端末装置とネットワークを介して接続されると共に、携帯端末装置と無線又は有線によりピアツーピア通信を行うサーバであって、
前記通信端末装置との間で情報を送受信するネットワーク接続部と、
前記携帯端末装置との間で情報を送受信する通信部と、
前記通信部に、前記携帯端末装置から送信された前記携帯端末装置の識別情報を受信させる携帯端末受信手段と、
前記識別情報が受信された場合に、パスワードを生成するパスワード生成手段と、
前記生成されたパスワードと前記受信された識別情報とを関連づけて、認証情報として記憶する認証情報記憶部と、
前記認証情報記憶部から前記識別情報を送信した携帯端末装置に対応する認証情報を読み出し、前記通信部に、前記読み出した認証情報と当該サーバの位置情報とを、前記識別情報を送信した携帯端末装置へ送信させる携帯端末送信手段と、
前記ネットワーク接続部に、前記携帯端末装置から送信され、前記通信端末装置により受信された前記携帯端末装置の認証情報と、前記携帯端末装置の認証を要求する認証要求信号とを、前記通信端末装置から受信させる通信端末受信手段と、
前記認証情報記憶部から前記認証情報を読み出し、この読み出した認証情報と、前記通信端末受信手段により受信した認証情報とが一致するか否かを判定する認証判定手段と、
前記認証判定手段により認証情報が一致すると判定された場合に、前記ネットワーク接続部に、認証されたことを示す認証許可信号を前記通信端末装置へ送信させる通信端末送信手段と、
を備えたことを特徴とするサーバ。
【請求項２】
サーバとネットワークを介して接続されると共に、携帯端末装置と無線又は有線によりピアツーピア通信を行う通信端末装置であって、
前記サーバとの間で情報を送受信するネットワーク接続部と、
前記携帯端末装置から情報を受信する受信部と、
前記受信部に、前記携帯端末装置の認証を要求する認証要求信号と、前記携帯端末装置の識別情報及びパスワードを含む認証情報と、前記サーバの位置情報とを、前記携帯端末装置から受信させる携帯端末受信手段と、
前記ネットワーク接続部に、前記受信した認証情報と前記認証要求信号とを、前記受信した位置情報が示すサーバへ送信させる要求信号送信手段と、
を備えたことを特徴とする通信端末装置。
【請求項３】
サーバとネットワークを介して接続されると共に、携帯端末装置と無線又は有線によりピアツーピア通信を行う通信端末装置であって、
前記サーバとの間で情報を送受信するネットワーク接続部と、
前記携帯端末装置との間で情報を送受信する通信部と、
前記通信部に、前記携帯端末装置の識別情報及びパスワードを含む認証情報と、前記サーバの位置情報とを、前記携帯端末装置から受信させる携帯端末受信手段と、
前記受信した前記認証情報と前記サーバの位置情報とを関連づけて、認証関連情報として記憶する認証関連情報記憶手段と、
前記認証関連情報記憶手段から認証関連情報を読み出し、前記ネットワーク接続部に、前記読み出した認証関連情報に含まれる認証情報と、前記携帯端末装置の認証を要求する認証要求信号とを、前記読み出した認証関連情報に含まれる位置情報が示すサーバへ送信させる要求信号送信手段と、
前記ネットワーク接続部に、前記認証情報と前記認証要求信号とを受信したサーバから、前記認証要求信号に対する応答として認証されたことを示す認証許可信号を受信する応答信号受信手段と、
を備えたことを特徴とする通信端末装置。
【請求項４】
サーバ及び通信端末装置と無線又は有線によりピアツーピア通信を行う携帯端末装置であって、
前記通信端末装置及び前記サーバとの間で情報を送受信する通信部と、
前記通信部に、当該携帯端末装置の識別情報を前記サーバへ送信させると共に、前記識別情報及びこの識別情報に対応するパスワードを含む認証情報と、前記サーバの位置情報とを前記サーバから受信させるサーバ送受信手段と、
前記受信した前記サーバの位置情報と前記認証情報とを関連づけて、認証関連情報として記憶する認証関連情報記憶手段と、
前記認証関連情報を読み出し、前記通信部に、前記読み出した認証関連情報と、この認証関連情報に含まれる位置情報が示すサーバへ認証を要求する認証要求信号とを、前記通信端末装置へ送信させる通信端末送信手段と、
を備えたことを特徴とする携帯端末装置。
【請求項５】
サーバ及び通信端末装置と無線又は有線によりピアツーピア通信を行う携帯端末装置であって、
前記通信端末装置及び前記サーバとの間で情報を送受信する通信部と、
前記通信部に、当該携帯端末装置の識別情報を前記サーバへ送信させると共に、前記識別情報及びこの識別情報に対応するパスワードを含む認証情報と、前記サーバの位置情報とを前記サーバから受信させるサーバ送受信手段と、
前記受信した前記サーバの位置情報と前記認証情報とを関連づけて、認証関連情報として記憶する認証関連情報記憶手段と、
前記認証関連情報を読み出し、前記通信部に、前記読み出した認証関連情報を前記通信端末装置へ送信させる通信端末送信手段と、
を備えたことを特徴とする携帯端末装置。
【請求項６】
通信端末装置とネットワークを介して接続されると共に、携帯端末装置と無線又は有線によりピアツーピア通信を行うサーバであり、前記通信端末装置との間で情報を送受信するネットワーク接続部と、前記携帯端末装置との間で情報を送受信する近距離通信部と、を備える前記サーバに実行させるためのサーバプログラムであって、
前記通信部に、前記携帯端末装置から送信された前記携帯端末装置の識別情報を受信させる携帯端末受信ステップと、
前記識別情報を受信した場合に、パスワードを生成して前記受信した識別情報と関連づけ、認証情報として認証情報記憶部に記憶させるパスワード生成ステップと、
前記認証情報記憶部から前記識別情報を送信した携帯端末装置に対応する認証情報を読み出し、前記通信部に、前記読み出した認証情報と前記サーバの位置情報とを、前記識別情報を送信した携帯端末装置へ送信させる携帯端末送信ステップと、
前記ネットワーク接続部に、前記携帯端末装置から送信され、前記通信端末装置により受信された前記携帯端末装置の認証情報と、前記携帯端末装置の認証を要求する認証要求信号とを、前記通信端末装置から受信させる通信端末受信ステップと、
前記認証情報記憶部から前記認証情報を読み出し、この読み出した認証情報と、前記通信端末受信ステップにより受信した認証情報とが一致するか否かを判定する認証判定ステップと、
前記認証判定ステップにより認証情報が一致すると判定された場合に、前記ネットワーク接続部に、認証されたことを示す認証許可信号を前記通信端末装置へ送信させる通信端末送信ステップと、
を前記サーバに実行させるためのサーバプログラム。
【請求項７】
サーバとネットワークを介して接続されると共に、携帯端末装置と無線又は有線によりピアツーピア通信を行う通信端末装置であり、前記サーバとの間で情報を送受信するネットワーク接続部と、前記携帯端末装置から情報を受信する受信部と、を備える前記通信端末装置に実行させるための通信端末プログラムであって、
前記受信部に、前記携帯端末装置の認証を要求する認証要求信号と、前記携帯端末装置の識別情報及びパスワードを含む認証情報と、前記サーバの位置情報とを、前記携帯端末装置から受信させる携帯端末受信ステップと、
前記ネットワーク接続部に、前記受信した認証情報と前記認証要求信号とを、前記受信した位置情報が示すサーバへ送信させる要求信号送信ステップと、
を前記通信端末装置に実行させるための通信端末プログラム。
【請求項８】
サーバとネットワークを介して接続されると共に、携帯端末装置と無線又は有線によりピアツーピア通信を行う通信端末装置であり、前記サーバとの間で情報を送受信するネットワーク接続部と、前記携帯端末装置との間で情報を送受信する通信部と、を備える前記通信端末装置に実行させるための通信端末プログラムであって、
前記通信部に、前記携帯端末装置の識別情報及びパスワードを含む認証情報と、前記サーバの位置情報とを、前記携帯端末装置から受信させる携帯端末受信ステップと、
前記受信した前記認証情報と前記サーバの位置情報とを関連づけて、認証関連情報として認証関連情報記憶手段に記憶させる認証関連情報記憶ステップと、
前記認証関連情報記憶手段から認証関連情報を読み出し、前記ネットワーク接続部に、前記読み出した認証関連情報に含まれる認証情報と、前記携帯端末装置の認証を要求する認証要求信号とを、前記読み出した認証関連情報に含まれる位置情報が示すサーバへ送信させる要求信号送信ステップと、
前記ネットワーク接続部に、前記認証情報と前記認証要求信号とを受信したサーバから、前記認証要求信号に対する応答として認証されたことを示す認証許可信号を受信する応答信号受信ステップと、
を前記通信端末装置に実行させるための通信端末プログラム。
【請求項９】
サーバ及び通信端末装置と無線又は有線によりピアツーピア通信を行う携帯端末装置であり、前記通信端末装置及び前記サーバとの間で情報を送受信する通信部を備える前記携帯端末装置に実行させるための携帯端末プログラムであって、
前記通信部に、前記携帯端末装置の識別情報を前記サーバへ送信させると共に、前記識別情報及びこの識別情報に対応するパスワードを含む認証情報と、前記サーバの位置情報とを前記サーバから受信させるサーバ送受信ステップと、
前記受信した前記サーバの位置情報と前記認証情報とを関連づけて、認証関連情報として認証関連情報記憶手段に記憶させる認証関連情報記憶ステップと、
前記認証関連情報を読み出し、前記通信部に、前記読み出した認証関連情報と、この認証関連情報に含まれる位置情報が示すサーバへ認証を要求する認証要求信号とを、前記通信端末装置へ送信させる通信端末送信ステップと、
を前記携帯端末装置に実行させるための携帯端末プログラム。
【請求項１０】
サーバ及び通信端末装置と無線又は有線によりピアツーピア通信を行う携帯端末装置であり、前記通信端末装置及び前記サーバとの間で情報を送受信する通信部を備える前記携帯端末装置に実行させるための携帯端末プログラムであって、
前記通信部に、前記携帯端末装置の識別情報を前記サーバへ送信させると共に、前記識別情報及びこの識別情報に対応するパスワードを含む認証情報と、前記サーバの位置情報とを前記サーバから受信させるサーバ送受信ステップと、
前記受信した前記サーバの位置情報と前記認証情報とを関連づけて、認証関連情報として認証関連情報記憶手段に記憶させる認証関連情報記憶ステップと、
前記認証関連情報を読み出し、前記通信部に、前記読み出した認証関連情報を前記通信端末装置へ送信させる通信端末送信ステップと、
を前記携帯端末装置に実行させるための携帯端末プログラム。
【請求項１１】
通信端末装置とネットワークを介して接続されると共に、携帯端末装置と無線又は有線によりピアツーピア通信を行うサーバであり、前記通信端末装置との間で情報を送受信するネットワーク接続部と、前記携帯端末装置との間で情報を送受信する通信部と、を備える前記サーバを用いて、前記携帯端末装置の認証を行う認証方法であって、
前記通信部に、前記携帯端末装置から送信された前記携帯端末装置の識別情報を受信させる携帯端末受信ステップと、
前記識別情報を受信した場合に、パスワードを生成して前記受信した識別情報と関連づけ、認証情報として認証情報記憶部に記憶させるパスワード生成ステップと、
前記認証情報記憶部から前記識別情報を送信した携帯端末装置に対応する認証情報を読み出し、前記通信部に、前記読み出した認証情報と前記サーバの位置情報とを、前記識別情報を送信した携帯端末装置へ送信させる携帯端末送信ステップと、
前記ネットワーク接続部に、前記携帯端末装置から送信され、前記通信端末装置により受信された前記携帯端末装置の認証情報と、前記携帯端末装置の認証を要求する認証要求信号とを、前記通信端末装置から受信させる通信端末受信ステップと、
前記認証情報記憶部から前記認証情報を読み出し、この読み出した認証情報と、前記通信端末受信ステップにより受信した認証情報とが一致するか否かを判定する認証判定ステップと、
前記認証判定ステップにより認証情報が一致すると判定された場合に、前記ネットワーク接続部に、認証されたことを示す認証許可信号を前記通信端末装置へ送信させる通信端末送信ステップと、
を有したことを特徴とする前記サーバによる前記携帯端末装置の認証方法。
【請求項１２】
サーバとネットワークを介して接続されると共に、携帯端末装置と無線又は有線によりピアツーピア通信を行う通信端末装置であり、前記サーバとの間で情報を送受信するネットワーク接続部と、前記携帯端末装置から情報を受信する受信部と、を備える前記通信端末装置を用いて、前記携帯端末装置の認証を行う認証方法であって、
前記受信部に、前記携帯端末装置の認証を要求する認証要求信号と、前記携帯端末装置の識別情報及びパスワードを含む認証情報と、前記サーバの位置情報とを、前記携帯端末装置から受信させる携帯端末受信ステップと、
前記ネットワーク接続部に、前記受信した認証情報と前記認証要求信号とを、前記受信した位置情報が示すサーバへ送信させる要求信号送信ステップと、
を有したことを特徴とする前記通信端末装置による前記携帯端末装置の認証方法。
【請求項１３】
サーバとネットワークを介して接続されると共に、携帯端末装置と無線又は有線によりピアツーピア通信を行う通信端末装置であり、前記サーバとの間で情報を送受信するネットワーク接続部と、前記携帯端末装置との間で情報を送受信する通信部と、を備える前記通信端末装置を用いて前記携帯端末の認証を行う認証方法であって、
前記通信部に、前記携帯端末装置の識別情報及びパスワードを含む認証情報と、前記サーバの位置情報とを、前記携帯端末装置から受信させる携帯端末受信ステップと、
前記受信した前記認証情報と前記サーバの位置情報とを関連づけて、認証関連情報として認証関連情報記憶手段に記憶させる認証関連情報記憶ステップと、
前記認証関連情報記憶手段から認証関連情報を読み出し、前記ネットワーク接続部に、前記読み出した認証関連情報に含まれる認証情報と、前記携帯端末装置の認証を要求する認証要求信号とを、前記読み出した認証関連情報に含まれる位置情報が示すサーバへ送信させる要求信号送信ステップと、
前記ネットワーク接続部に、前記認証情報と前記認証要求信号とを受信したサーバから、前記認証要求信号に対する応答として認証されたことを示す認証許可信号を受信する応答信号受信ステップと、
を有したことを特徴とする前記通信端末装置による前記携帯端末装置の認証方法。
【請求項１４】
サーバ及び通信端末装置と無線又は有線によりピアツーピア通信を行う携帯端末装置であり、前記通信端末装置及び前記サーバとの間で情報を送受信する通信部を備える携帯端末装置を用いて、この携帯端末装置の認証を行う認証方法であって、
前記通信部に、前記携帯端末装置の識別情報を前記サーバへ送信させると共に、前記識別情報及びこの識別情報に対応するパスワードを含む認証情報と、前記サーバの位置情報とを前記サーバから受信させるサーバ送受信ステップと、
前記受信した前記サーバの位置情報と前記認証情報とを関連づけて、認証関連情報として認証関連情報記憶手段に記憶させる認証関連情報記憶ステップと、
前記認証関連情報を読み出し、前記通信部に、前記読み出した認証関連情報と、この認証関連情報に含まれる位置情報が示すサーバへ認証を要求する認証要求信号とを、前記通信端末装置へ送信させる通信端末送信ステップと、
を有したことを特徴とする前記携帯端末装置による前記携帯端末装置の認証方法。
【請求項１５】
サーバ及び通信端末装置と無線又は有線によりピアツーピア通信を行う携帯端末装置であり、前記通信端末装置及び前記サーバとの間で情報を送受信する通信部を備える前記携帯端末装置を用いて、この携帯端末装置の認証を行う認証方法であって、
前記通信部に、前記携帯端末装置の識別情報を前記サーバへ送信させると共に、前記識別情報及びこの識別情報に対応するパスワードを含む認証情報と、前記サーバの位置情報とを前記サーバから受信させるサーバ送受信ステップと、
前記受信した前記サーバの位置情報と前記認証情報とを関連づけて、認証関連情報として認証関連情報記憶手段に記憶させる認証関連情報記憶ステップと、
前記認証関連情報を読み出し、前記通信部に、前記読み出した認証関連情報を前記通信端末装置へ送信させる通信端末送信ステップと、
を有したことを特徴とする前記携帯端末装置による前記携帯端末装置の認証方法。
【発明の詳細な説明】
【技術分野】
【０００１】
本発明は、携帯端末装置を認証するサーバ、サーバからサービスが提供される通信端末装置、通信端末装置を介してサーバに認証を要求する携帯端末装置、携帯端末装置の認証を行うためのサーバプログラム、通信端末プログラム、携帯端末プログラム、及び携帯端末装置の認証を行う認証方法に関する。
【背景技術】
【０００２】
近年、インターネットの普及やデジタル家電機器の多機能化に伴い、通信端末からネットワークを介して受信した操作信号に基づいて、各種サービスを提供するサーバ機能を有したデジタル家電機器が普及している。このようなサーバ機能を有するデジタル家電製品には、例えば、利用者が操作する通信端末から操作信号を受信し、この受信した操作信号に基づいて、テレビ番組を録画するテレビジョン録画機や、受信した操作信号に基づいて、記録しているコンテンツデータを通信端末に配信するホームサーバ等がある。
【０００３】
このようなサーバ機能を有するデジタル家電機器において、利用者が通信端末からサーバに対して認証を行い、録画予約や配信等の各種サービスを受けるためには、まず、利用者は、このデジタル家電機器のＵＲＬ（Uniform Resource Locator）等の位置情報や、利用者ＩＤとパスワード等の認証情報を入力する必要があった。そのため、利用者は、各種サービスを受ける度にこれらの情報を入力しなければならず、また、入力ミスにより各種サービスを受けることができない場合は再度入力しなければならないなど、このような入力作業は利用者にとって非常に煩わしいものであった。
【０００４】
そこで、特許文献１には、ユーザ識別情報（認証情報）を保持する携帯装置から任意の通信端末装置に送信し、携帯装置より受信するユーザ識別情報を用いて通信端末装置がサーバに対して認証を行い、サーバから各種サービスを受けることがきるネットワークシステムが提案されている。
【特許文献１】特開２００１−０５６７９６号公報
【発明の開示】
【発明が解決しようとする課題】
【０００５】
しかしながら、特許文献１に記載のネットワークシステムでは、通信端末装置とサーバが予め接続されていることが前提となり、利用者は、このネットワークシステムを利用するために、通信端末装置にサーバの位置情報を入力する必要があった。
【０００６】
また、特許文献１に記載のネットワークシステムにおいて、予め、サーバの位置情報を携帯装置に記憶しておき、携帯装置からサーバへ接続する際、携帯装置より通信端末装置へサーバの位置情報を送信し、接続を確立する技術が考えられる。
【０００７】
しかしながら、このような技術では、利用者は、予め携帯装置にサーバの位置情報と認証情報とを入力しておく必要があり、この入力操作が利用者にとって煩わしかった。また、デジタル家電機器は、様々な利用者により利用されることが前提とされており、その中にはネットワーク等の知識に乏しい利用者も含まれる。このようなネットワークの知識の乏しい利用者にとって、予め携帯装置にサーバの位置情報と認証情報とを入力する操作は、大きな負担となっていた。
【０００８】
本発明は、上記課題に鑑みてなされたものであり、利用者がサーバの位置情報や認証情報を入力することなく、容易にサーバから携帯端末装置の認証を受けることができるサーバ、通信端末装置、携帯端末装置、サーバプログラム、通信端末プログラム、携帯端末プログラム、及び認証方法を提供することを目的とする。
【課題を解決するための手段】
【０００９】
上記目的を達成するため、本発明に係るサーバの第１の特徴は、通信端末装置とネットワークを介して接続されると共に、携帯端末装置と無線又は有線によりピアツーピア通信を行うサーバであって、通信端末装置との間で情報を送受信するネットワーク接続部と、携帯端末装置との間で情報を送受信する通信部と、通信部に、携帯端末装置から送信された携帯端末装置の識別情報を受信させる携帯端末受信手段と、識別情報が受信された場合に、パスワードを生成するパスワード生成手段と、生成されたパスワードと受信された識別情報とを関連づけて、認証情報として記憶する認証情報記憶部と、認証情報記憶部から識別情報を送信した携帯端末装置に対応する認証情報を読み出し、通信部に、読み出した認証情報と当該サーバの位置情報とを、識別情報を送信した携帯端末装置へ送信させる携帯端末送信手段と、ネットワーク接続部に、携帯端末装置から送信され、通信端末装置により受信された携帯端末装置の認証情報と、携帯端末装置の認証を要求する認証要求信号とを、通信端末装置から受信させる通信端末受信手段と、認証情報記憶部から認証情報を読み出し、この読み出した認証情報と、通信端末受信手段により受信した認証情報とが一致するか否かを判定する認証判定手段と、認証判定手段により認証情報が一致すると判定された場合に、ネットワーク接続部に、認証されたことを示す認証許可信号を通信端末装置へ送信させる通信端末送信手段とを備えたことにある。
【００１０】
上記目的を達成するため、本発明に係る通信端末装置の第１の特徴は、サーバとネットワークを介して接続されると共に、携帯端末装置と無線又は有線によりピアツーピア通信を行う通信端末装置であって、サーバとの間で情報を送受信するネットワーク接続部と、携帯端末装置から情報を受信する受信部と、受信部に、携帯端末装置の認証を要求する認証要求信号と、携帯端末装置の識別情報及びパスワードを含む認証情報と、サーバの位置情報とを、携帯端末装置から受信させる携帯端末受信手段と、ネットワーク接続部に、受信した認証情報と認証要求信号とを、受信した位置情報が示すサーバへ送信させる要求信号送信手段とを備えたことにある。
【００１１】
上記目的を達成するため、本発明に係る通信端末装置の第２の特徴は、サーバとネットワークを介して接続されると共に、携帯端末装置と無線又は有線によりピアツーピア通信を行う通信端末装置であって、サーバとの間で情報を送受信するネットワーク接続部と、携帯端末装置との間で情報を送受信する通信部と、通信部に、携帯端末装置の識別情報及びパスワードを含む認証情報と、サーバの位置情報とを、携帯端末装置から受信させる携帯端末受信手段と、受信した認証情報とサーバの位置情報とを関連づけて、認証関連情報として記憶する認証関連情報記憶手段と、認証関連情報記憶手段から認証関連情報を読み出し、ネットワーク接続部に、読み出した認証関連情報に含まれる認証情報と、携帯端末装置の認証を要求する認証要求信号とを、読み出した認証関連情報に含まれる位置情報が示すサーバへ送信させる要求信号送信手段と、ネットワーク接続部に、認証情報と認証要求信号とを受信したサーバから、認証要求信号に対する応答として認証されたことを示す認証許可信号を受信する応答信号受信手段とを備えたことにある。
【００１２】
上記目的を達成するため、本発明に係る携帯端末装置の第１の特徴は、サーバ及び通信端末装置と無線又は有線によりピアツーピア通信を行う携帯端末装置であって、通信端末装置及びサーバとの間で情報を送受信する通信部と、通信部に、当該携帯端末装置の識別情報をサーバへ送信させると共に、識別情報及びこの識別情報に対応するパスワードを含む認証情報と、サーバの位置情報とをサーバから受信させるサーバ送受信手段と、受信したサーバの位置情報と認証情報とを関連づけて、認証関連情報として記憶する認証関連情報記憶手段と、認証関連情報を読み出し、通信部に、読み出した認証関連情報と、この認証関連情報に含まれる位置情報が示すサーバへ認証を要求する認証要求信号とを、通信端末装置へ送信させる通信端末送信手段と、を備えたことにある。
【００１３】
上記目的を達成するため、本発明に係る携帯端末装置の第２の特徴は、サーバ及び通信端末装置と無線又は有線によりピアツーピア通信を行う携帯端末装置であって、通信端末装置及びサーバとの間で情報を送受信する通信部と、通信部に、当該携帯端末装置の識別情報をサーバへ送信させると共に、識別情報及びこの識別情報に対応するパスワードを含む認証情報と、サーバの位置情報とをサーバから受信させるサーバ送受信手段と、受信したサーバの位置情報と認証情報とを関連づけて、認証関連情報として記憶する認証関連情報記憶手段と、認証関連情報を読み出し、通信部に、読み出した認証関連情報を通信端末装置へ送信させる通信端末送信手段とを備えたことにある。
【００１４】
上記目的を達成するため、本発明に係るサーバプログラムの第１の特徴は、通信端末装置とネットワークを介して接続されると共に、携帯端末装置と無線又は有線によりピアツーピア通信を行うサーバであり、通信端末装置との間で情報を送受信するネットワーク接続部と、携帯端末装置との間で情報を送受信する近距離通信部と、を備えるサーバに実行させるためのサーバプログラムであって、通信部に、携帯端末装置から送信された携帯端末装置の識別情報を受信させる携帯端末受信ステップと、識別情報を受信した場合に、パスワードを生成して受信した識別情報と関連づけ、認証情報として認証情報記憶部に記憶させるパスワード生成ステップと、認証情報記憶部から識別情報を送信した携帯端末装置に対応する認証情報を読み出し、通信部に、読み出した認証情報とサーバの位置情報とを、識別情報を送信した携帯端末装置へ送信させる携帯端末送信ステップと、ネットワーク接続部に、携帯端末装置から送信され、通信端末装置により受信された携帯端末装置の認証情報と、携帯端末装置の認証を要求する認証要求信号とを、通信端末装置から受信させる通信端末受信ステップと、認証情報記憶部から認証情報を読み出し、この読み出した認証情報と、通信端末受信ステップにより受信した認証情報とが一致するか否かを判定する認証判定ステップと、認証判定ステップにより認証情報が一致すると判定された場合に、ネットワーク接続部に、認証されたことを示す認証許可信号を通信端末装置へ送信させる通信端末送信ステップとをサーバに実行させることにある。
【００１５】
上記目的を達成するため、本発明に係る通信端末プログラムの第１の特徴は、サーバとネットワークを介して接続されると共に、携帯端末装置と無線又は有線によりピアツーピア通信を行う通信端末装置であり、サーバとの間で情報を送受信するネットワーク接続部と、携帯端末装置から情報を受信する受信部と、を備える通信端末装置に実行させるための通信端末プログラムであって、受信部に、携帯端末装置の認証を要求する認証要求信号と、携帯端末装置の識別情報及びパスワードを含む認証情報と、サーバの位置情報とを、携帯端末装置から受信させる携帯端末受信ステップと、ネットワーク接続部に、受信した認証情報と認証要求信号とを、受信した位置情報が示すサーバへ送信させる要求信号送信ステップとを通信端末装置に実行させることにある。
【００１６】
上記目的を達成するため、本発明に係る通信端末プログラムの第２の特徴は、サーバとネットワークを介して接続されると共に、携帯端末装置と無線又は有線によりピアツーピア通信を行う通信端末装置であり、サーバとの間で情報を送受信するネットワーク接続部と、携帯端末装置との間で情報を送受信する通信部と、を備える通信端末装置に実行させるための通信端末プログラムであって、通信部に、携帯端末装置の識別情報及びパスワードを含む認証情報と、サーバの位置情報とを、携帯端末装置から受信させる携帯端末受信ステップと、受信した認証情報とサーバの位置情報とを関連づけて、認証関連情報として認証関連情報記憶手段に記憶させる認証関連情報記憶ステップと、認証関連情報記憶手段から認証関連情報を読み出し、ネットワーク接続部に、読み出した認証関連情報に含まれる認証情報と、携帯端末装置の認証を要求する認証要求信号とを、読み出した認証関連情報に含まれる位置情報が示すサーバへ送信させる要求信号送信ステップと、ネットワーク接続部に、認証情報と認証要求信号とを受信したサーバから、認証要求信号に対する応答として認証されたことを示す認証許可信号を受信する応答信号受信ステップとを通信端末装置に実行させることにある。
【００１７】
上記目的を達成するため、本発明に係る携帯端末プログラムの第１の特徴は、サーバ及び通信端末装置と無線又は有線によりピアツーピア通信を行う携帯端末装置であり、通信端末装置及びサーバとの間で情報を送受信する通信部を備える携帯端末装置に実行させるための携帯端末プログラムであって、通信部に、携帯端末装置の識別情報をサーバへ送信させると共に、識別情報及びこの識別情報に対応するパスワードを含む認証情報と、サーバの位置情報とをサーバから受信させるサーバ送受信ステップと、受信したサーバの位置情報と認証情報とを関連づけて、認証関連情報として認証関連情報記憶手段に記憶させる認証関連情報記憶ステップと、認証関連情報を読み出し、通信部に、読み出した認証関連情報と、この認証関連情報に含まれる位置情報が示すサーバへ認証を要求する認証要求信号とを、通信端末装置へ送信させる通信端末送信ステップとを携帯端末装置に実行させることにある。
【００１８】
上記目的を達成するため、本発明に係る携帯端末プログラムの第２の特徴は、サーバ及び通信端末装置と無線又は有線によりピアツーピア通信を行う携帯端末装置であり、通信端末装置及びサーバとの間で情報を送受信する通信部を備える携帯端末装置に実行させるための携帯端末プログラムであって、通信部に、携帯端末装置の識別情報をサーバへ送信させると共に、識別情報及びこの識別情報に対応するパスワードを含む認証情報と、サーバの位置情報とをサーバから受信させるサーバ送受信ステップと、受信したサーバの位置情報と認証情報とを関連づけて、認証関連情報として認証関連情報記憶手段に記憶させる認証関連情報記憶ステップと、認証関連情報を読み出し、通信部に、読み出した認証関連情報を通信端末装置へ送信させる通信端末送信ステップとを携帯端末装置に実行させることにある。
【００１９】
上記目的を達成するため、本発明に係る認証方法の第１の特徴は、通信端末装置とネットワークを介して接続されると共に、携帯端末装置と無線又は有線によりピアツーピア通信を行うサーバであり、通信端末装置との間で情報を送受信するネットワーク接続部と、携帯端末装置との間で情報を送受信する通信部と、を備えるサーバを用いて、携帯端末装置の認証を行う認証方法であって、通信部に、携帯端末装置から送信された携帯端末装置の識別情報を受信させる携帯端末受信ステップと、識別情報を受信した場合に、パスワードを生成して受信した識別情報と関連づけ、認証情報として認証情報記憶部に記憶させるパスワード生成ステップと、認証情報記憶部から識別情報を送信した携帯端末装置に対応する認証情報を読み出し、通信部に、読み出した認証情報とサーバの位置情報とを、識別情報を送信した携帯端末装置へ送信させる携帯端末送信ステップと、ネットワーク接続部に、携帯端末装置から送信され、通信端末装置により受信された携帯端末装置の認証情報と、携帯端末装置の認証を要求する認証要求信号とを、通信端末装置から受信させる通信端末受信ステップと、認証情報記憶部から認証情報を読み出し、この読み出した認証情報と、通信端末受信ステップにより受信した認証情報とが一致するか否かを判定する認証判定ステップと、認証判定ステップにより認証情報が一致すると判定された場合に、ネットワーク接続部に、認証されたことを示す認証許可信号を通信端末装置へ送信させる通信端末送信ステップとを有したことにある。
【００２０】
上記目的を達成するため、本発明に係る認証方法の第２の特徴は、サーバとネットワークを介して接続されると共に、携帯端末装置と無線又は有線によりピアツーピア通信を行う通信端末装置であり、サーバとの間で情報を送受信するネットワーク接続部と、携帯端末装置から情報を受信する受信部と、を備える通信端末装置を用いて、携帯端末装置の認証を行う認証方法であって、受信部に、携帯端末装置の認証を要求する認証要求信号と、携帯端末装置の識別情報及びパスワードを含む認証情報と、サーバの位置情報とを、携帯端末装置から受信させる携帯端末受信ステップと、ネットワーク接続部に、受信した認証情報と認証要求信号とを、受信した位置情報が示すサーバへ送信させる要求信号送信ステップとを有したことにある。
【００２１】
上記目的を達成するため、本発明に係る認証方法の第３の特徴は、サーバとネットワークを介して接続されると共に、携帯端末装置と無線又は有線によりピアツーピア通信を行う通信端末装置であり、サーバとの間で情報を送受信するネットワーク接続部と、携帯端末装置との間で情報を送受信する通信部と、を備える通信端末装置を用いて携帯端末の認証を行う認証方法であって、通信部に、携帯端末装置の識別情報及びパスワードを含む認証情報と、サーバの位置情報とを、携帯端末装置から受信させる携帯端末受信ステップと、受信した認証情報とサーバの位置情報とを関連づけて、認証関連情報として認証関連情報記憶手段に記憶させる認証関連情報記憶ステップと、認証関連情報記憶手段から認証関連情報を読み出し、ネットワーク接続部に、読み出した認証関連情報に含まれる認証情報と、携帯端末装置の認証を要求する認証要求信号とを、読み出した認証関連情報に含まれる位置情報が示すサーバへ送信させる要求信号送信ステップと、ネットワーク接続部に、認証情報と認証要求信号とを受信したサーバから、認証要求信号に対する応答として認証されたことを示す認証許可信号を受信する応答信号受信ステップとを有したことにある。
【００２２】
上記目的を達成するため、本発明に係る認証方法の第４の特徴は、サーバ及び通信端末装置と無線又は有線によりピアツーピア通信を行う携帯端末装置であり、通信端末装置及びサーバとの間で情報を送受信する通信部を備える携帯端末装置を用いて、この携帯端末装置の認証を行う認証方法であって、通信部に、携帯端末装置の識別情報をサーバへ送信させると共に、識別情報及びこの識別情報に対応するパスワードを含む認証情報と、サーバの位置情報とをサーバから受信させるサーバ送受信ステップと、受信したサーバの位置情報と認証情報とを関連づけて、認証関連情報として認証関連情報記憶手段に記憶させる認証関連情報記憶ステップと、認証関連情報を読み出し、通信部に、読み出した認証関連情報と、この認証関連情報に含まれる位置情報が示すサーバへ認証を要求する認証要求信号とを、通信端末装置へ送信させる通信端末送信ステップとを有したことにある。
【００２３】
上記目的を達成するため、本発明に係る認証方法の第５の特徴は、サーバ及び通信端末装置と無線又は有線によりピアツーピア通信を行う携帯端末装置であり、通信端末装置及びサーバとの間で情報を送受信する通信部を備える携帯端末装置を用いて、この携帯端末装置の認証を行う認証方法であって、通信部に、携帯端末装置の識別情報をサーバへ送信させると共に、識別情報及びこの識別情報に対応するパスワードを含む認証情報と、サーバの位置情報とをサーバから受信させるサーバ送受信ステップと、受信したサーバの位置情報と認証情報とを関連づけて、認証関連情報として認証関連情報記憶手段に記憶させる認証関連情報記憶ステップと、認証関連情報を読み出し、通信部に、読み出した認証関連情報を通信端末装置へ送信させる通信端末送信ステップとを有したことにある。
【発明の効果】
【００２４】
本発明に係るサーバ、通信端末装置、携帯端末装置、サーバプログラム、通信端末プログラム、携帯端末プログラム、及び認証方法によれば、利用者は、サーバの位置情報や認証情報を入力することなく、容易にサーバから携帯端末装置の認証を受けることできる。
【発明を実施するための最良の形態】
【００２５】
以下、本発明を実施するための最良の形態について、好ましい実施例を示して説明する。
【実施例１】
【００２６】
本発明に係る実施例１では、携帯端末装置を認証するサーバ、サーバからサービスが提供される通信端末装置、及び通信端末装置を介してサーバに認証を要求する携帯端末装置を備えるネットワークシステムについて説明する。
【００２７】
＜ネットワークシステムの構成＞
図１は、本発明に係る実施例１におけるネットワークシステムのシステム構成を示したシステム構成図である。
【００２８】
図１に示すように、ネットワークシステム１０は、サーバ１と、通信端末装置２と、携帯端末装置３とを備えており、サーバ１と通信端末装置２とは、ネットワーク４を介して接続されている。
【００２９】
サーバ１は、例えば、宅内に設置され、ネットワーク４を介して通信端末装置２に映像や音声等のコンテンツ配信等の各種サービスを提供する。また、サーバ１は、赤外線によるピアツーピアの無線通信により、携帯端末装置３から識別情報を受信すると共に、携帯端末装置３へサーバ１の位置情報、及び認証情報を送信する。さらに、サーバ１は、通信端末装置２からの要求に応じて、携帯端末装置３の認証を行う。
【００３０】
ここで、識別情報としては、例えば、携帯端末装置３の電話番号等のように携帯端末装置３を一意に識別する情報を用いる。また、サーバ１の位置情報としては、例えば、ネットワークのＤＮＳ（Domain Name System）におけるＦＱＤＮ（Fully Qualified Domain Name）を用いる。
【００３１】
さらに、サーバ１は、通信端末装置２からの要求に応じて、通信端末装置２へコンテンツリストやコンテンツデータを送信する。
【００３２】
通信端末装置２は、例えば宅外に設置され、ネットワーク４を介してサーバ１と接続される。また、通信端末装置２は、赤外線によるピアツーピアの無線通信により、携帯端末装置３から、認証を要求する認証要求信号と、サーバ１の位置情報と、携帯端末装置３の認証情報とを受信すると共に、携帯端末装置３からの要求に応じて、サーバ１へ携帯端末装置３の認証を要求する。
【００３３】
さらに、通信端末装置２は、携帯端末装置３からコンテンツリストの表示を要求されると、サーバ１にコンテンツリストの送信を要求し、サーバ１から送信されたリストを表示する。また、通信端末装置２は、携帯端末装置３からコンテンツ再生が要求されると、サーバ１にコンテンツデータの送信を要求し、サーバ１から送信されたコンテンツデータを再生する。
【００３４】
携帯端末装置３は、赤外線によるピアツーピアの無線通信により、サーバ１から自装置の識別情報をサーバ１へ送信すると共に、サーバ１からサーバ１の位置情報、及び認証情報を受信する。また、携帯端末装置３は、赤外線によるピアツーピアの無線通信により、サーバ１に対して認証を要求する認証要求信号と、サーバ１の位置情報と、自装置の認証情報とを通信端末装置２へ送信する。
【００３５】
さらに、携帯端末装置３は、通信端末装置２にコンテンツリストの表示やコンテンツデータの再生を要求する。
【００３６】
＜サーバ１の構成＞
図２は、本実施例のネットワークシステム１０に備えられたサーバ１の概略構成を示した構成図である。
【００３７】
サーバ１は、近距離通信部１１と、機器制御部１２と、ネットワーク接続部１３と、コンテンツ記録部１４と、認証情報記憶部１５とを備える。
【００３８】
近距離通信部１１は、例えば赤外線の信号光を発光する発光素子と、赤外線の信号光を受光する受光素子とを備えている。そして、近距離通信部１１は、携帯端末装置３からの信号光を受光し、受光した信号光を電気信号に変換して機器制御部１２へ供給したり、機器制御部１２から供給された信号を光変換して信号光を出射したりする。これにより、近距離通信部１１は、ピアツーピア通信により、携帯端末装置３との間で情報を送受信する。
【００３９】
ネットワーク接続部１３は、ネットワークカードなどの通信インタフェースであり、このネットワーク接続部１３によりネットワーク４に接続することによって、ネットワーク４に接続された通信端末装置２との間で情報を送受信する。
【００４０】
コンテンツ記録部１４は、例えばハードディスク等の記憶装置により構成され、機器制御部１２から供給された制御信号に従って、コンテンツデータとこのコンテンツデータを一意に識別するコンテンツＩＤとを関連づけて記録する。また、コンテンツ記録部１４は、記録されているコンテンツデータの内容情報とコンテンツＩＤとが関連づけられたコンテンツリストを記録する。
【００４１】
認証情報記憶部１５は、例えばハードディスク等の記憶装置により構成され、機器制御部１２から供給された制御信号に従って、携帯端末装置３を一意に識別する識別番号と、この識別番号で識別される携帯端末装置３のパスワードとを関連づけて、認証情報として記憶する。
【００４２】
機器制御部１２は、自装置の中枢的な制御を行う。また、機器制御部１２は、携帯端末受信手段１２ａと、携帯端末送信手段１２ｂと、パスワード生成手段１２ｃと、認証判定手段１２ｄと、通信端末受信手段１２ｅと、通信端末送信手段１２ｆと、コンテンツ読み出し手段１２ｇとを備える。
【００４３】
携帯端末受信手段１２ａは、近距離通信部１１に、携帯端末装置３から送信された携帯端末装置３固有の識別情報を受信させる。
【００４４】
パスワード生成手段１２ｃは、携帯端末装置３から識別情報を受信した場合に、パスワードを生成し、生成したパスワードと識別番号とを関連づけて、認証情報として認証情報記憶部１５に記憶させる。
【００４５】
携帯端末送信手段１２ｂは、認証情報記憶部１５から、識別情報を送信した携帯端末装置３に対応する認証情報を読み出し、近距離通信部１１に、読み出した認証情報と、自装置の位置情報とを、識別情報を送信した携帯端末装置３へ送信させる。
【００４６】
通信端末受信手段１２ｅは、ネットワーク接続部１３に、携帯端末装置３から送信され、通信端末装置２により受信した携帯端末装置３の認証情報と、携帯端末装置３の認証を要求する認証要求信号とを、通信端末装置２から受信させる。
【００４７】
認証判定手段１２ｄは、認証情報記憶部１５から認証情報を読み出し、読み出した認証情報と、通信端末受信手段１２ｅにより受信した認証情報とが一致するか否かを判定する。
【００４８】
通信端末送信手段１２ｆは、認証判定手段１２ｄにより認証情報が一致すると判定された場合に、ネットワーク接続部１３に、認証されたことを示す認証許可信号を通信端末装置２へ送信させる。
【００４９】
また、通信端末送信手段１２ｆは、ネットワーク接続部１３に、後述するコンテンツ読み出し手段１２ｇから供給されたコンテンツリストやコンテンツデータを通信端末装置２へ送信させる。
【００５０】
コンテンツ読み出し手段１２ｇは、コンテンツ記録部１４からコンテンツデータを読み出し、読み出したコンテンツデータを通信端末送信手段１２ｆに供給する。また、コンテンツ読み出し手段１２ｇは、コンテンツ記録部１４からコンテンツリストを読み出し、読み出したコンテンツリストを通信端末送信手段１２ｆに供給する。
【００５１】
なお、本実施例のネットワークシステム１０に備えられたサーバ１は、コンテンツ記録部１４と、認証情報記憶部１５とを別々の記憶装置として構成しているが、各々の記憶部を１つの記憶装置で構成してもよい。
【００５２】
なお、近距離通信部１１は、信号光を受発光することにより、携帯端末装置３とピアツーピア通信により情報を送受信するが、通信は赤外線に限らず、電波などの他の信号によるものでもよい。また、無線によりピアツーピア通信を行う代わりに、例えば、ＵＳＢ（Universal Serial Bus）コネクタを用いて有線により携帯端末装置３と接続し、ピアツーピア通信を行うようにしてもよい。
【００５３】
＜通信端末装置２の構成＞
図３は、本実施例のネットワークシステム１０に備えられた通信端末装置２の概略構成を示した構成図である。
【００５４】
通信端末装置２は、近距離通信部２１と、機器制御部２２と、ネットワーク接続部２３と、出力部２４とを備える。
【００５５】
近距離通信部２１は、例えば赤外線の信号光を受光する受光素子を備えている。そして、近距離通信部２１は、携帯端末装置３からの信号光を受光し、受光した信号光を電気信号に変換して機器制御部２２へ供給する。これにより、近距離通信部１１は、ピアツーピア通信により、携帯端末装置３から情報を受信する。
【００５６】
ネットワーク接続部１３は、ネットワークカードなどの通信インタフェースであり、このネットワーク接続部１３によりネットワーク４に接続することによって、ネットワーク４に接続されたサーバ１と間で情報を送受信する。
【００５７】
出力部２４は、有機ＥＬ（electroluminescence）ディスプレイや、液晶ディスプレイ等の画像出力装置を備え、機器制御部２２から供給された出力信号に基づいて、映像コンテンツやコンテンツリスト等を表示する。
【００５８】
機器制御部２２は、自装置の中枢的な制御を行う。また、機器制御部２２は、携帯端末受信手段２２ａと、要求信号送信手段２２ｂと、出力制御手段２２ｄとを備える。
【００５９】
携帯端末受信手段２２ａは、近距離通信部２１に、携帯端末装置３の認証を要求する認証要求信号と、携帯端末装置３固有の識別情報及びパスワードを含む認証情報と、サーバ１の位置情報とを、携帯端末装置３から受信させる。
【００６０】
要求信号送信手段２２ｂは、ネットワーク接続部２３に、受信した認証情報と、認証要求信号とを、受信した位置情報が示すサーバ１へ送信させる。
【００６１】
出力制御手段２２ｄは、ネットワーク接続部２３を介して受信したコンテンツリストやコンテンツデータを出力部２４に出力する。
【００６２】
なお、近距離通信部２１は、信号光を受光することにより、携帯端末装置３とピアツーピア通信により情報を受信するが、通信は赤外線に限らず、電波などの他の信号によるものでもよい。また、無線によりピアツーピア通信を行う代わりに、例えば、ＵＳＢ（Universal Serial Bus）コネクタを用いて有線により携帯端末装置３と接続し、ピアツーピア通信を行うようにしてもよい。
【００６３】
＜携帯端末装置３の構成＞
図４は、本実施例のネットワークシステム１０に備えられた携帯端末装置３の概略構成を示した構成図である。
【００６４】
携帯端末装置３は、近距離通信部３１と、機器制御部３２と、認証関連情報記憶部３３と、入力部３４とを備える。
【００６５】
近距離通信部３１は、例えば赤外線の信号光を発光する発光素子と、赤外線の信号光を受光する受光素子とを備えている。そして、近距離通信部３１は、サーバ１からの信号光を受光し、受光した信号光を電気信号に変換して機器制御部３２へ供給したり、機器制御部３２から供給された信号を光変換して信号光をサーバ１又は通信端末装置２へ出射したりする。これにより、近距離通信部３１は、ピアツーピア通信により、サーバ１及び通信端末装置２との間で情報を送受信する。
【００６６】
認証関連情報記憶部３３は、例えばハードディスク等の記憶装置により構成され、機器制御部３２から供給された制御信号に従って、サーバ１の位置情報と、携帯端末装置３を一意に識別する識別情報と、この識別情報で識別される携帯端末装置３のパスワードとを関連づけて、認証関連情報として記憶する。
【００６７】
入力部３４は、操作ボタンを備えており、利用者によってこの操作ボタンが押下操作されることによって、操作信号を生成し、生成した操作信号を機器制御部３２へ供給する。
【００６８】
機器制御部３２は、自装置の中枢的な制御を行う。また、機器制御部３２は、サーバ送受信手段３２ａと、通信端末送信手段３２ｂとを備える。
【００６９】
サーバ送受信手段３２ａは、近距離通信部３１に、自装置固有の識別情報をサーバ１へ送信させると共に、識別情報、及びこの識別情報に対応するパスワードを含む認証情報と、サーバ１の位置情報とをサーバ１から受信させる。
【００７０】
通信端末送信手段３２ｂは、認証関連情報を読み出し、近距離通信部３１に、読み出した認証関連情報と、この認証関連情報に含まれる位置情報が示すサーバ１へ認証を要求する認証要求信号とを、通信端末装置２へ送信させる。
【００７１】
また、通信端末送信手段３２ｂは、近距離通信部３１に、コンテンツリストの表示を要求するコンテンツリスト表示要求信号や、コンテンツデータの再生を要求するコンテンツ再生要求信号を送信させる。
【００７２】
＜ネットワークシステム１０の作用＞
本実施例のネットワークシステム１０は、サーバ１と、通信端末装置２と、携帯端末装置３との間において、各種情報を送受信しながら、主に認証関連情報送受信処理、認証処理、及びコンテンツ配信処理を行う。そのため、以下に、これら各処理について詳細に説明する。
【００７３】
≪認証関連情報送受信処理の詳細≫
図５は、ネットワークシステム１０における認証関連情報送受信処理の処理フローを示したシーケンス図である。
【００７４】
まず、携帯端末装置３の機器制御部３２のサーバ送受信手段３２ａは、入力部３４からの操作信号に基づき、自装置固有の識別情報を生成し（ステップＳ１０１）、この識別情報をサーバ１へ送信する（ステップＳ１０２）。具体的には、サーバ送受信手段３２ａの指示に基づいて、近距離通信部３１が、識別情報を赤外線光に光変換し、この光変換された信号光をサーバ１に向けて出射する。なお、図５においては、信号光を二重波線で示している。
【００７５】
次に、サーバ１の機器制御部１２の携帯端末受信手段１２ａは、ステップＳ１０２により送信された識別情報を受信する（ステップＳ１０３）。具体的には、サーバ１の機器制御部１２の携帯端末受信手段１２ａの指示に基づいて、近距離通信部１１が、信号光を受光し、この受光した信号光を電気信号へ変換して識別情報を抽出する。
【００７６】
そして、機器制御部１２のパスワード生成手段１２ｃは、携帯端末装置３を認証するためのパスワードを生成し（ステップＳ１０４）、ステップＳ１０３において受信した識別情報と関連づけて、認証情報として認証情報記憶部１５に記憶する（ステップＳ１０５）。
【００７７】
次に、機器制御部１２の携帯端末送信手段１２ｂは、認証情報記憶部１５から識別情報を送信した携帯端末装置３に対応する認証情報を読み出し、読み出した認証情報と、自装置の位置情報とを、識別情報を送信した携帯端末装置３へ送信する（ステップＳ１０６）。具体的には、携帯端末送信手段１２ｂの指示に基づいて、近距離通信部１１が、読み出した認証情報と自装置の位置情報とを赤外線光に光変換し、この光変換された信号光を、識別情報を送信した携帯端末装置３に向けて出射する。
【００７８】
次に、携帯端末装置３のサーバ送受信手段３２ａは、ステップＳ１０６により送信された認証情報と、位置情報とを受信する（ステップＳ１０７）。具体的には、携帯端末装置３のサーバ送受信手段３２ａの指示に基づいて、近距離通信部３１が、信号光を受光し、この受光した信号光を電気信号へ変換して認証情報と、位置情報とを抽出する。
【００７９】
そして、サーバ送受信手段３２ａは、ステップＳ１０７において受信した認証情報と位置情報とを関連づけて、認証関連情報として認証関連情報記憶部３３に記憶する（ステップＳ１０８）。
【００８０】
なお、ステップＳ１０６において、サーバ１の携帯端末送信手段１２ｂが、公開鍵暗号方式による携帯端末装置３の公開鍵を用いて、認証情報を暗号化した後に、携帯端末装置３へ送信するようにしてもよい。この場合、ステップＳ１０７において、携帯端末装置３のサーバ送受信手段３２ａは、暗号化された認証情報を、自装置の秘密鍵を用いて復号する。そのため、携帯端末装置３は、予め公開鍵及び秘密鍵を生成し、生成した公開鍵をサーバ１へ送信しておく必要がある。
【００８１】
あるいは、ステップＳ１０６において、サーバ１の携帯端末送信手段１２ｂが、公開鍵暗号方式によるサーバ１の秘密鍵を用いて、認証情報を署名した後に、携帯端末装置３へ送信するようにしてもよい。この場合、ステップＳ１０７において、携帯端末装置３のサーバ送受信手段３２ａは、署名された認証情報を、サーバ１の公開鍵を用いて検証する。そのため、サーバ１は、予め公開鍵及び秘密鍵を生成し、生成した公開鍵を携帯端末装置３へ送信しておく必要がある。
【００８２】
≪認証処理の詳細≫
図６は、ネットワークシステム１０における認証処理の処理フローを示したシーケンス図である。
【００８３】
まず、携帯端末装置３の機器制御部３２の通信端末送信手段３２ｂは、入力部３４からの操作信号に基づき、認証関連情報記憶手段３３から認証関連情報を読み出し、読み出した認証関連情報と、認証関連情報に含まれる位置情報が示すサーバ１へ認証を要求する認証要求信号とを、通信端末装置２へ送信する（ステップＳ２０１）。具体的には、通信端末送信手段３２ｂの指示に基づいて、近距離通信部３１が、認証関連情報と認証要求信号とを赤外線光に光変換し、この光変換された信号光を通信端末装置２に向けて出射する。なお、図６においては、信号光を二重波線で示している。
【００８４】
次に、通信端末装置２の機器制御部２２の携帯端末受信手段２２ａは、ステップＳ２０１により送信された認証関連情報と認証要求信号とを受信する（ステップＳ２０２）。具体的には、携帯端末受信手段２２ａの指示に基づいて、近距離通信部２１が、信号光を受光し、この受光した信号光を電気信号へ変換して認証関連情報と認証要求信号とを抽出する。
【００８５】
次に、通信端末装置２の機器制御部２２の要求信号送信手段２２ｂは、ステップＳ２０２において抽出した認証要求信号と、抽出した認証関連情報に含まれる認証情報とを、抽出した認証関連情報に含まれる位置情報が示すサーバ１へ送信する（ステップＳ２０３）。具体的には、要求信号送信手段２２ｂの指示に基づいて、ネットワーク接続部２３が、認証情報と認証要求信号とを、ネットワーク４を介して、位置情報が示すサーバ１宛に送信する。なお、図６においては、ネットワーク４を介する情報の送受信を二重線で示している。
【００８６】
そして、サーバ１の機器制御部１２の通信端末受信手段１２ｅは、ステップＳ２０３により送信された認証情報と認証要求信号とを受信する（ステップＳ２０４）。具体的には、通信端末受信手段１２ｅの指示に基づいて、ネットワーク接続部１３が、認証情報と認証要求信号とを、ネットワーク４を介して受信する。
【００８７】
次に、機器制御部１２の認証判定手段１２ｄは、認証情報記憶部１５から認証情報を読み出し（ステップＳ２０５）、読み出した認証情報、即ち識別情報とパスワードとが、ステップＳ２０４において通信端末受信手段１２ｅにより受信した認証情報、即ち識別情報とパスワードとに一致するか否かを判定する（ステップＳ２０６）。
【００８８】
そして、ステップＳ２０６において、互いの認証情報が一致すると判定された場合に、機器制御部１２の通信端末送信手段１２ｆは、認証されたことを示す認証許可信号を通信端末装置２へ送信する（ステップＳ２０７）。具体的には、通信端末送信手段１２ｆの指示に基づいて、ネットワーク接続部１３が、認証許可信号をネットワーク４を介して、通信端末装置２に送信する。
【００８９】
通信端末装置２は、サーバ１から、ステップＳ２０３において送信した認証要求信号に対する応答として認証されたことを示す認証許可信号を受信すると（ステップＳ２０８）、認証されたことを携帯端末装置３の利用者に示すための画面を出力部２４に出力させる。
【００９０】
一方、ステップＳ２０６において、互いの認証情報が一致しないと判定された場合に、機器制御部１２の通信端末送信手段１２ｆは、認証に失敗、即ち認証されなかったことを示す認証不可信号を通信端末装置２へ送信する（ステップＳ２１１）。具体的には、通信端末送信手段１２ｆの指示に基づいて、ネットワーク接続部１３が、認証不可信号をネットワーク４を介して、通信端末装置２に送信する。
【００９１】
通信端末装置２は、サーバ１から、送信された認証不可信号を受信すると（ステップＳ２１２）、認証に失敗したことを携帯端末装置３の利用者に示すための画面を出力部２４に出力させる。
【００９２】
なお、図５に示したステップＳ１０６において、携帯端末送信手段１２ｂが、公開鍵暗号方式による公開鍵を用いて、認証情報を暗号化したが、ステップＳ２０１において、通信端末送信手段３２ｂは、認証情報を暗号化してもよい。
【００９３】
この場合、ステップＳ２０１において、通信端末送信手段３２ｂは、サーバ１の公開鍵を用いて、認証情報を暗号化し、認証関連情報に含めて通信端末装置２へ送信する。そして、ステップＳ２０２においては、通信端末装置２は、認証関連情報に含まれる暗号化された認証情報を復号することなく、この認証情報を、抽出した認証関連情報に含まれる位置情報が示すサーバ１へ送信する。さらに、ステップＳ２０４において、サーバ１の通信端末受信手段１２ｅは、受信した認証情報に含まれる暗号化された認証情報を、自装置の秘密鍵を用いて復号する。そのため、サーバ１は、予め公開鍵及び秘密鍵を生成し、生成した公開鍵を携帯端末装置３へ送信しておく必要がある。
【００９４】
また、図５に示したステップＳ１０６において、携帯端末送信手段１２ｂが、公開鍵暗号方式による秘密鍵を用いて、認証情報を署名したが、ステップＳ２０１において、通信端末送信手段３２ｂは、認証情報を署名してもよい。
【００９５】
この場合、ステップＳ２０１において、通信端末送信手段３２ｂは、自装置の秘密鍵を用いて、認証情報を署名し、認証関連情報に含めて通信端末装置２へ送信する。そして、ステップＳ２０２においては、通信端末装置２は、認証関連情報に含まれる署名された認証情報を検証することなく、この認証情報を、抽出した認証関連情報に含まれる位置情報が示すサーバ１へ送信する。さらに、ステップＳ２０４において、サーバ１の通信端末受信手段１２ｅは、受信した認証情報に含まれる署名された認証情報を、携帯端末装置３の公開鍵を用いて検証する。そのため、携帯端末装置３は、予め公開鍵及び秘密鍵を生成し、生成した公開鍵をサーバ１へ送信しておく必要がある。
【００９６】
≪コンテンツ配信処理の詳細≫
図７は、ネットワークシステム１０におけるコンテンツ配信処理の処理フローを示したシーケンス図である。
【００９７】
まず、携帯端末装置３の機器制御部３２の通信端末送信手段３２ｂは、入力部３４からの操作信号に基づき、コンテンツリストの表示を要求するコンテンツリスト表示要求信号を、通信端末装置２へ送信する（ステップＳ３０１）。具体的には、通信端末送信手段３２ｂの指示に基づいて、近距離通信部３１が、コンテンツリスト表示要求信号を赤外線光に光変換し、この光変換された信号光を通信端末装置２に向けて出射する。なお、図７においては、信号光を二重波線で示している。
【００９８】
次に、通信端末装置２の機器制御部２２の携帯端末受信手段２２ａは、ステップＳ３０１により送信されたコンテンツリスト表示要求信号を受信する（ステップＳ３０２）。具体的には、携帯端末受信手段２２ａの指示に基づいて、近距離通信部２１が、信号光を受光し、この受光した信号光を電気信号へ変換してコンテンツリスト表示要求信号を抽出する。
【００９９】
さらに、機器制御部２２の要求信号送信手段２２ｂは、ステップＳ３０２において抽出したコンテンツリスト表示要求信号を、認証済みのサーバ１へ送信する（ステップＳ３０３）。具体的には、要求信号送信手段２２ｂの指示に基づいて、ネットワーク接続部２３が、コンテンツリスト表示要求信号を、ネットワーク４を介して、サーバ１に送信する。なお、図７においては、ネットワーク４を介する情報の送受信を二重線で示している。
【０１００】
そして、サーバ１の機器制御部１２の通信端末受信手段１２ｅは、ステップＳ３０３において送信されたコンテンツリスト表示要求信号を受信する（ステップＳ３０４）。具体的には、通信端末受信手段１２ｅの指示に基づいて、ネットワーク接続部１３が、コンテンツリスト表示要求信号を、ネットワーク４を介して受信する。
【０１０１】
次に、機器制御部１２のコンテンツ読み出し手段１２ｇは、コンテンツ記録部１４からコンテンツリストを読み出し（ステップＳ３０５）、通信端末送信手段１２ｆが、読み出したコンテンツリストを通信端末装置２へ送信する（ステップＳ３０６）。具体的には、通信端末送信手段１２ｆの指示に基づいて、ネットワーク接続部１３が、コンテンツリストをネットワーク４を介して、通信端末装置２に送信する。
【０１０２】
通信端末装置２の出力制御手段２２ｄは、サーバ１からコンテンツリストを受信する（ステップＳ３０７）と、このコンテンツリストとこのコンテンツリストのうち１つを選択するためのカーソルとを出力部２４に表示させる（ステップＳ３０８）。
【０１０３】
次に、通信端末送信手段３２ｂは、利用者による入力部３４の操作により、コンテンツの再生を要求するコンテンツ再生要求信号とコンテンツＩＤとを通信端末装置２へ送信する（ステップＳ３１０）。
【０１０４】
具体的には、まず、利用者は、ステップＳ３０８において出力部２４に表示された表示画面を見ながら、カーソルが所望のコンテンツリストを指し示すように、携帯端末装置３の操作ボタンを操作すると、通信端末送信手段３２ｂは、カーソルを出力部２４の表示画面上を移動させるための操作信号を生成し、近距離通信部３１が、この操作信号を信号光に変換して出射する。
【０１０５】
そして、通信端末装置２の近距離通信部２１が、携帯端末装置３から出射された信号光を受光することによって、出力制御手段２２ｄが、移動を示す操作信号を受信する。
【０１０６】
出力制御手段２２ｄは、出力部２４に表示されたコンテンツリストのうちカーソルがどのコンテンツを指し示しているか、即ちカーソルの位置を監視しており、供給された操作信号に基づいて、カーソルの位置を算出し、算出した位置になるように出力部２４にカーソルを表示させる。
【０１０７】
そして、利用者が携帯端末装置３の決定を示す操作ボタンを操作すると、通信端末送信手段３２ｂは、操作された操作ボタンに割り付けたコンテンツの再生を要求するコンテンツ再生要求信号を通信端末装置２へ送信する。
【０１０８】
次に、通信端末装置２の機器制御部２２の携帯端末受信手段２２ａは、ステップＳ３１０により送信されたコンテンツ再生要求信号を受信する（ステップＳ３１１）。具体的には、携帯端末受信手段２２ａの指示に基づいて、近距離通信部２１が、信号光を受光し、この受光した信号光を電気信号へ変換してコンテンツ再生要求信号を抽出する。
【０１０９】
要求信号送信手段２２ｂは、携帯端末受信手段２２ａがコンテンツ再生要求信号を受信すると、出力制御手段２２ｄから供給されたカーソル位置情報に基づいて、コンテンツリストのうち選択されたコンテンツに対応するコンテンツＩＤを抽出する。そして、要求信号送信手段２２ｂは、ステップＳ３１１において受信したコンテンツ再生要求信号と抽出したコンテンツＩＤとを、認証済みのサーバ１へ送信する（ステップＳ３１２）。具体的には、要求信号送信手段２２ｂの指示に基づいて、ネットワーク接続部２３が、コンテンツ再生要求信号とコンテンツＩＤとを、ネットワーク４を介して、サーバ１に送信する。
【０１１０】
そして、サーバ１の機器制御部１２の通信端末受信手段１２ｅは、ステップＳ３１２により送信されたコンテンツ再生要求信号とコンテンツＩＤを受信する（ステップＳ３１３）。具体的には、通信端末受信手段１２ｅの指示に基づいて、ネットワーク接続部１３が、コンテンツ再生要求信号とコンテンツＩＤとを、ネットワーク４を介して受信する。
【０１１１】
次に、機器制御部１２のコンテンツ読み出し手段１２ｇは、コンテンツ記録部１４からステップＳ３１３において受信したコンテンツＩＤに対応するコンテンツデータを読み出し（ステップＳ３１４）、通信端末送信手段１２ｆが、読み出したコンテンツデータを通信端末装置２へ送信する（ステップＳ３１５）。具体的には、通信端末送信手段１２ｆの指示に基づいて、ネットワーク接続部１３が、コンテンツデータをネットワーク４を介して、通信端末装置２に送信する。
【０１１２】
そして、通信端末装置２の出力制御手段２２ｄは、コンテンツデータを受信すると、このコンテンツデータを、出力部２４に出力する（ステップＳ３１７）。
【０１１３】
以上のように、本発明に係る実施例１におけるネットワークシステムによれば、携帯端末装置３が、宅内に設置されたサーバ１から赤外線通信を用いて位置情報及び認証情報を受信し、この受信した認証情報を用いて、宅外に設置された通信端末装置２を介してサーバ１に認証を要求するので、利用者は、サーバ１の位置情報及び認証情報を入力することなく、容易にサーバ１から携帯端末装置３の認証を受けることができる。
【０１１４】
このように、サーバ１から認証を受けることにより、利用者は、外出先において、通信端末装置２に向けて携帯端末装置３を操作することで、例えば、サーバ１が記憶しているコンテンツを視聴することができる等、サーバ１が提供する各種サービスを受けることができる。
【０１１５】
また、上述した実施形態を、コンピュータにインストールしたサーバプログラムを実行させることによりサーバ１を構成させることもできる。すなわち、このサーバプログラムは、例えば、サーバプログラムが記憶された記録媒体から読み出され、ＣＰＵで実行されることによりサーバ１を構成するようにしてもよいし、通信ネットワークを介して伝送されてインストールされ、ＣＰＵで実行されることによりサーバ１を構成するようにしてもよい。
【０１１６】
通信端末装置２及び携帯端末装置３についても、同様に、コンピュータにインストールした通信端末プログラム、又は携帯端末プログラムを実行させることにより通信端末装置２及び携帯端末装置３を構成させることもできる。
【実施例２】
【０１１７】
本発明に係る実施例２では、携帯端末装置を認証するサーバ、サーバに認証を要求すると共に、サーバからサービスが提供される通信端末装置、及び認証情報を通信端末装置に送信する携帯端末装置を備えるネットワークシステムについて説明する。
【０１１８】
＜ネットワークシステムの構成＞
図８は、本発明に係る実施例２におけるネットワークシステムのシステム構成を示したシステム構成図である。
【０１１９】
図８に示すように、ネットワークシステム１０Ａは、サーバ１と、通信端末装置２Ａと、携帯端末装置３Ａとを備えており、サーバ１と通信端末装置２Ａとは、ネットワーク４を介して接続されている。
【０１２０】
サーバ１は、例えば、宅内に設定され、映像や音声等のコンテンツ配信等の各種サービスを提供する。また、サーバ１は、赤外線によるピアツーピアの無線通信により、携帯端末装置３Ａから識別情報を受信すると共に、携帯端末装置３Ａへサーバ１の位置情報、及び認証情報を送信する。さらに、サーバ１は、通信端末装置２Ａからの要求に応じて、携帯端末装置３Ａの認証を行う。
【０１２１】
ここで、識別情報としては、例えば、携帯端末装置３Ａの電話番号等のように携帯端末装置３Ａを一意に識別する情報を用いる。また、サーバ１の位置情報としては、例えば、ネットワークのＤＮＳ（Domain Name System）におけるＦＱＤＮ（Fully Qualified Domain Name）を用いる。
【０１２２】
さらに、サーバ１は、通信端末装置２Ａからの要求に応じて、通信端末装置２Ａへコンテンツリストやコンテンツデータを送信する。
【０１２３】
通信端末装置２Ａは、例えば宅外に設置され、ネットワーク４を介してサーバ１と接続される。また、通信端末装置２Ａは、赤外線によるピアツーピアの無線通信により、携帯端末装置３Ａから、サーバ１の位置情報と、携帯端末装置３Ａの認証情報とを受信すると共に、サーバ１へ携帯端末装置３Ａの認証を要求する。
【０１２４】
さらに、通信端末装置２Ａは、サーバ１にコンテンツリストやコンテンツデータの送信を要求し、サーバ１から送信されたコンテンツリストを表示したり、コンテンツデータを再生したりする。
【０１２５】
携帯端末装置３Ａは、赤外線によるピアツーピアの無線通信により、サーバ１から自装置の識別情報をサーバ１へ送信すると共に、サーバ１からサーバ１の位置情報、及び認証情報を受信する。また、携帯端末装置３Ａは、赤外線によるピアツーピアの無線通信により、サーバ１の位置情報と、自装置の認証情報とを通信端末装置２Ａへ送信する。
【０１２６】
＜サーバ１の構成＞
本発明の実施例２であるネットワークシステム１０Ａに備えられたサーバ１の構成は、本発明の実施例１であるネットワークシステム１０に備えられたサーバ１の構成と同一であるので、説明を省略する。
【０１２７】
＜通信端末装置２Ａの構成＞
図９は、本実施例のネットワークシステム１０Ａに備えられた通信端末装置２Ａの概略構成を示した構成図である。
【０１２８】
通信端末装置２Ａは、近距離通信部２１と、機器制御部２２Ａと、ネットワーク接続部２３と、出力部２４と、入力部２５と、認証関連情報記憶部２６とを備える。
【０１２９】
近距離通信部２１は、例えば信号光を受光する受光素子を備えている。そして、近距離通信部２１は、携帯端末装置３Ａからの信号光を受光し、受光した信号光を電気信号に変換して機器制御部２２Ａへ供給する。これにより、近距離通信部１１は、ピアツーピア通信により、携帯端末装置３Ａから情報を受信する。
【０１３０】
ネットワーク接続部２３は、ネットワークカードなどの通信インタフェースであり、このネットワーク接続部２３によりネットワーク４に接続することによって、ネットワーク４に接続されたサーバ１と間で情報を送受信する。
【０１３１】
出力部２４は、有機ＥＬ（electroluminescence）ディスプレイや、液晶ディスプレイ等の画像出力装置を備え、機器制御部２２Ａから供給された出力信号に基づいて、映像コンテンツやコンテンツリスト等を表示する。
【０１３２】
入力部２５は、操作ボタンを備えており、利用者によってこの操作ボタンが押下操作されることによって、操作信号を生成し、生成した操作信号を機器制御部２２Ａへ供給する。
【０１３３】
認証関連情報記憶部２６は、例えばハードディスク等の記憶装置により構成され、機器制御部２２Ａから供給された制御信号に従って、サーバ１の位置情報と、携帯端末装置３Ａを一意に識別する識別情報と、この識別情報で識別される携帯端末装置３Ａのパスワードとを関連づけて、認証関連情報として記憶する。
【０１３４】
機器制御部２２Ａは、自装置の中枢的な制御を行う。また、機器制御部２２Ａは、携帯端末受信手段２２ａと、要求信号送信手段２２ｂと、出力制御手段２２ｄと、応答信号受信手段２２ｅとを備える。
【０１３５】
携帯端末受信手段２２ａは、近距離通信部２１に、携帯端末装置３Ａ固有の識別情報及びパスワードを含む認証情報と、サーバ１の位置情報とを、携帯端末装置３Ａから受信させる。
【０１３６】
要求信号送信手段２２ｂは、認証関連情報記憶手段２６から認証関連情報を読み出し、ネットワーク接続部２３に、読み出した認証関連情報に含まれる認証情報と、携帯端末装置３Ａの認証を要求する認証要求信号とを、読み出した認証関連情報に含まれる位置情報が示すサーバ１へ送信させる。
【０１３７】
応答信号受信手段２２ｅは、ネットワーク接続部２３に、サーバ１から、認証要求信号に対する応答として認証されたことを示す認証許可信号、又は認証されなかったことを示す認証不可信号を受信する。
【０１３８】
出力制御手段２２ｄは、ネットワーク接続部２３を介して受信したコンテンツリストやコンテンツデータを出力部２４に出力する。
【０１３９】
なお、近距離通信部２１は、信号光を受光することにより、携帯端末装置３Ａとピアツーピア通信により情報を受信するが、通信は赤外線に限らず、電波などの他の信号によるものでもよい。また、無線によりピアツーピア通信を行う代わりに、例えば、ＵＳＢ（Universal Serial Bus）コネクタを用いて有線により携帯端末装置３Ａと接続し、ピアツーピア通信を行うようにしてもよい。
【０１４０】
＜携帯端末装置３Ａの構成＞
図１０は、本実施例のネットワークシステム１０Ａに備えられた携帯端末装置３Ａの概略構成を示した構成図である。
【０１４１】
携帯端末装置３Ａは、近距離通信部３１と、機器制御部３２Ａと、認証関連情報記憶部３３と、入力部３４とを備える。
【０１４２】
近距離通信部３１は、例えば、赤外線の信号光を発光する発光素子と、赤外線の信号光を受光する受光素子とを備えている。そして、近距離通信部３１は、サーバ１からの信号光を受光し、受光した信号光を電気信号に変換して機器制御部３２Ａへ供給したり、機器制御部３２Ａから供給された信号を光変換して信号光をサーバ１又は通信端末装置２Ａへ出射したりする。これにより、近距離通信部３１は、ピアツーピア通信により、サーバ１及び通信端末装置２Ａとの間で情報を送受信する。
【０１４３】
認証関連情報記憶部３３は、例えばハードディスク等の記憶装置により構成され、機器制御部３２Ａから供給された制御信号に従って、サーバ１の位置情報と、携帯端末装置３Ａを一意に識別する識別情報と、この識別情報で識別される携帯端末装置３Ａのパスワードとを関連づけて、認証関連情報として記憶する。
【０１４４】
入力部３４は、操作ボタンを備えており、利用者によってこの操作ボタンが押下操作されることによって、操作信号を生成し、生成した操作信号を機器制御部３２Ａへ供給する。
【０１４５】
機器制御部３２は、自装置の中枢的な制御を行う。また、機器制御部３２Ａは、サーバ送受信手段３２ａと、通信端末送信手段３２ｃとを備える。
【０１４６】
サーバ送受信手段３２ａは、近距離通信部３１に、自装置固有の識別情報をサーバ１へ送信させると共に、識別情報、及びこの識別情報に対応するパスワードを含む認証情報と、サーバ１の位置情報とをサーバ１から受信させる。
【０１４７】
通信端末送信手段３２ｃは、認証関連情報を読み出し、近距離通信部３１に、読み出した認証関連情報を通信端末装置２Ａへ送信させる。
【０１４８】
＜ネットワークシステム１０Ａの作用＞
本実施例のネットワークシステム１０Ａは、サーバ１と、通信端末装置２Ａと、携帯端末装置３Ａとの間において、各種情報を送受信しながら、主に認証関連情報送受信処理、認証処理、及びコンテンツ配信処理を行う。そのため、以下に、これら各処理について詳細に説明する。
【０１４９】
≪サーバ１及び携帯端末装置３Ａ間における認証関連情報送受信処理の詳細≫
本実施例のネットワークシステム１０Ａにおいて、サーバ１及び携帯端末装置３Ａ間における認証関連情報送受信処理は、前述した実施例１のネットワークシステム１０における認証関連情報送受信処理と同一の処理であるので、説明を省略する。
【０１５０】
≪携帯端末装置３Ａ及び通信端末装置２Ａ間における認証関連情報送受信処理の詳細≫
図１１は、本実施例のネットワークシステム１０Ａにおいて、携帯端末装置３Ａ及び通信端末装置２Ａ間における認証関連情報送受信処理の処理フローを示したシーケンス図である。
【０１５１】
まず、携帯端末装置３Ａの機器制御部３２の通信端末送信手段３２ｂは、入力部３４からの操作信号に基づき、認証関連情報記憶手段３３から認証関連情報を読み出し、読み出した認証関連情報を、通信端末装置２Ａへ送信する（ステップＳ４０１）。
【０１５２】
具体的には、通信端末送信手段３２ｃの指示に基づいて、近距離通信部３１が、認証関連情報を赤外線光に光変換し、この光変換された信号光を通信端末装置２Ａに向けて出射する。なお、図１１においては、信号光を二重波線で示している。
【０１５３】
次に、通信端末装置２Ａの機器制御部２２Ａの携帯端末受信手段２２ａは、ステップＳ４０１により送信された認証関連情報を受信する（ステップＳ４０２）。具体的には、携帯端末受信手段２２ａの指示に基づいて、近距離通信部２１が、信号光を受光し、この受光した信号光を電気信号へ変換して認証関連情報を抽出する。
【０１５４】
そして、携帯端末受信手段２２ａは、ステップＳ４０２において受信した認証関連情報を認証関連情報記憶手段２６に記憶させる（ステップＳ４０３）。
【０１５５】
≪認証処理の詳細≫
図１２は、本実施例のネットワークシステム１０Ａにおける認証処理の処理フローを示したシーケンス図である。
【０１５６】
まず、利用者が、通信端末装置２Ａの入力部２５に備えられた認証を要求するための操作ボタンを押下操作すると、入力部２５は、認証要求信号を生成し、生成した認証要求信号を機器制御部２２の要求信号送信手段２２ｂに供給する（ステップＳ５０１）。
【０１５７】
次に、要求信号送信手段２２ｂは、認証関連情報記憶手段２６から認証関連情報を読み出し（ステップＳ５０２）、ステップＳ５０１において供給された認証要求信号と、読み出した認証関連情報に含まれる認証情報とを、読み出した認証関連情報に含まれる位置情報が示すサーバ１へ送信する（ステップＳ５０３）。具体的には、要求信号送信手段２２ｂの指示に基づいて、ネットワーク接続部２３が、認証情報と認証要求信号とを、ネットワーク４を介して、位置情報が示すサーバ１宛に送信する。なお、図１２においては、ネットワーク４を介する情報の送受信を二重線で示している。
【０１５８】
そして、サーバ１の機器制御部１２の通信端末受信手段１２ｅは、ステップＳ５０３により送信された認証情報と認証要求信号とを受信する（ステップＳ５０４）。具体的には、通信端末受信手段１２ｅの指示に基づいて、ネットワーク接続部１３が、認証情報と認証要求信号とを、ネットワーク４を介して受信する。
【０１５９】
次に、機器制御部１２の認証判定手段１２ｄは、認証情報記憶部１５から認証情報を読み出し（ステップＳ５０５）、読み出した認証情報、即ち識別情報とパスワードとが、ステップＳ５０４において通信端末受信手段１２ｅにより受信した認証情報、即ち識別情報とパスワードとに一致するか否かを判定する（ステップＳ５０６）。
【０１６０】
そして、ステップＳ５０６において、互いの認証情報が一致すると判定された場合に、機器制御部１２の通信端末送信手段１２ｆは、認証されたことを示す認証許可信号を通信端末装置２Ａへ送信する（ステップＳ５０７）。具体的には、通信端末送信手段１２ｆの指示に基づいて、ネットワーク接続部１３が、認証許可信号をネットワーク４を介して、通信端末装置２Ａに送信する。
【０１６１】
通信端末装置２Ａは、サーバ１から、ステップＳ５０３において送信した認証要求信号に対する応答として認証されたことを示す認証許可信号を受信する（ステップＳ５０８）。
【０１６２】
一方、ステップＳ５０６において、互いの認証情報が一致しないと判定された場合に、機器制御部１２の通信端末送信手段１２ｆは、認証に失敗、即ち認証されなかったことを示す認証不可信号を通信端末装置２Ａへ送信する（ステップＳ５１１）。具体的には、通信端末送信手段１２ｆの指示に基づいて、ネットワーク接続部１３が、認証不可信号をネットワーク４を介して、通信端末装置２Ａに送信する。
【０１６３】
通信端末装置２Ａは、サーバ１から、送信された認証不可信号を受信する（ステップＳ５１２）。
【０１６４】
なお、図５に示したステップＳ５０６において、サーバ１の携帯端末送信手段１２ｂが、公開鍵暗号方式による公開鍵を用いて、認証情報を暗号化したが、図１１に示したステップＳ４０１において、携帯端末装置３の通信端末送信手段３２ｃは、認証情報を暗号化してもよい。
【０１６５】
この場合、ステップＳ４０１において、携帯端末装置３の通信端末受信手段３２ｃは、サーバ１の公開鍵を用いて、認証情報を暗号化し、認証関連情報に含めて通信端末装置２Ａへ送信する。そして、ステップＳ４０２においては、通信端末装置２Ａは、認証関連情報に含まれる暗号化された認証情報を復号することなく、この暗号化された認証情報を含む認証関連情報を認証関連情報記憶手段２６に記憶させる。さらに、図１２に示すステップＳ５０３において、要求信号送信手段２２ｂは、ステップＳ５０１において供給された認証要求信号と、ステップＳ５０２において読み出した認証関連情報に含まれる暗号化された認証情報とを、認証情報を復号することなく、読み出した認証関連情報に含まれる位置情報が示すサーバ１へ送信する。さらに、ステップＳ５０４において、サーバ１の通信端末受信手段１２ｅは、受信した認証情報に含まれる暗号化された認証情報を、自装置の秘密鍵を用いて復号する。そのため、サーバ１は、予め公開鍵及び秘密鍵を生成し、生成した公開鍵を携帯端末装置３Ａへ送信しておく必要がある。
【０１６６】
また、図５に示したステップＳ５０６において、サーバ１の携帯端末送信手段１２ｂが、公開鍵暗号方式による秘密鍵を用いて、認証情報を署名したが、図１１に示したステップＳ４０１において、携帯端末装置３の通信端末送信手段３２ｃは、認証情報を署名してもよい。
【０１６７】
この場合、ステップＳ４０１において、携帯端末装置３の通信端末受信手段３２ｃは、自装置の秘密鍵を用いて、認証情報を署名し、認証関連情報に含めて通信端末装置２Ａへ送信する。そして、ステップＳ４０２においては、通信端末装置２Ａは、認証関連情報に含まれる署名された認証情報を検証することなく、この署名された認証情報を含む認証関連情報を認証関連情報記憶手段２６に記憶させる。さらに、図１２に示すステップＳ５０３において、要求信号送信手段２２ｂは、ステップＳ５０１において供給された認証要求信号と、ステップＳ５０２において読み出した認証関連情報に含まれる署名された認証情報とを、認証情報を検証することなく、読み出した認証関連情報に含まれる位置情報が示すサーバ１へ送信する。さらに、ステップＳ５０４において、サーバ１の通信端末受信手段１２ｅは、受信した認証情報に含まれる署名された認証情報を、携帯端末装置３Ａの公開鍵を用いて検証する。そのため、携帯端末装置３Ａは、予め公開鍵及び秘密鍵を生成し、生成した公開鍵をサーバ１へ送信しておく必要がある。
【０１６８】
≪コンテンツ配信処理の詳細≫
図１３は、本実施例のネットワークシステム１０Ａにおけるコンテンツ配信処理の処理フローを示したシーケンス図である。
【０１６９】
まず、利用者が、通信端末装置２Ａの入力部２５に備えられたコンテンツリストの表示を要求するための操作ボタンを押下操作すると、入力部２５は、コンテンツリスト表示要求信号を生成し、生成したコンテンツリスト表示要求信号を機器制御部２２Ａの要求信号送信手段２２ｂに供給する（ステップＳ６０１）。
【０１７０】
次に、機器制御部２２Ａの要求信号送信手段２２ｂは、ステップＳ６０１において供給されたコンテンツリスト表示要求信号を、認証済みのサーバ１へ送信する（ステップＳ６０２）。具体的には、要求信号送信手段２２ｂの指示に基づいて、ネットワーク接続部２３が、コンテンツリスト表示要求信号を、ネットワーク４を介して、サーバ１に送信する。なお、図１３においては、ネットワーク４を介する情報の送受信を二重線で示している。
【０１７１】
そして、サーバ１の機器制御部１２の通信端末受信手段１２ｅは、ステップＳ６０２において送信されたコンテンツリスト表示要求信号を受信する（ステップＳ６０３）。具体的には、通信端末受信手段１２ｅの指示に基づいて、ネットワーク接続部１３が、コンテンツリスト表示要求信号を、ネットワーク４を介して受信する。
【０１７２】
次に、機器制御部１２のコンテンツ読み出し手段１２ｇは、コンテンツ記録部１４からコンテンツリストを読み出し（ステップＳ６０４）、通信端末送信手段１２ｆが、読み出したコンテンツリストを通信端末装置２Ａへ送信する（ステップＳ６０５）。具体的には、通信端末送信手段１２ｆの指示に基づいて、ネットワーク接続部１３が、コンテンツリストをネットワーク４を介して、通信端末装置２Ａに送信する。
【０１７３】
通信端末装置２Ａは、サーバ１からコンテンツリストを受信する（ステップＳ６０６）と、出力制御手段２２ｄは、このコンテンツリストとこのコンテンツリストのうち１つを選択するためのカーソルとを出力部２４に表示させる（ステップＳ６０７）。
【０１７４】
次に、利用者が、通信端末装置２Ａの入力部２５に備えられた、決定を示す操作ボタンを押下操作すると、入力部２５は、コンテンツ再生要求信号を生成し、生成したコンテンツ再生要求信号を機器制御部２２Ａの要求信号送信手段２２ｂに供給する（ステップＳ６０８）。
【０１７５】
具体的には、まず、利用者は、ステップＳ６０７において出力部２４に表示された表示画面を見ながら、カーソルが所望のコンテンツリストを指し示すように、通信端末装置２Ａに備えられた操作ボタンを操作すると、入力部２５は、カーソルを出力部２４の表示画面上を移動させるための操作信号を生成し、出力制御手段２２ｄへ供給する。
【０１７６】
出力制御手段２２ｄは、出力部２４に表示されたコンテンツリストのうちカーソルがどのコンテンツを指し示しているか、即ちカーソルの位置を監視しており、供給された操作信号に基づいて、カーソルの位置を算出し、算出した位置になるように出力部２４にカーソルを表示させる。
【０１７７】
そして、利用者が入力部２５に備えられた決定を示す操作ボタンを操作すると、入力部２５は、操作された操作ボタンに割り付けたコンテンツの再生を要求するコンテンツ再生要求信号を生成する。
【０１７８】
要求信号送信手段２２ｂは、コンテンツ再生要求信号が供給されると、出力制御手段２２ｄから供給されたカーソル位置情報に基づいて、コンテンツリストのうち選択されたコンテンツに対応するコンテンツＩＤを抽出する。そして、要求信号送信手段２２ｂは、ステップＳ６０８において供給されたコンテンツ再生要求信号と抽出したコンテンツＩＤとを、認証済みのサーバ１へ送信する（ステップＳ６０９）。具体的には、要求信号送信手段２２ｂの指示に基づいて、ネットワーク接続部２３が、コンテンツ再生要求信号とコンテンツＩＤとを、ネットワーク４を介して、サーバ１に送信する。
【０１７９】
そして、サーバ１の機器制御部１２の通信端末受信手段１２ｅは、ステップＳ６０９により送信されたコンテンツ再生要求信号とコンテンツＩＤを受信する（ステップＳ６１０）。具体的には、通信端末受信手段１２ｅの指示に基づいて、ネットワーク接続部１３が、コンテンツ再生要求信号とコンテンツＩＤとを、ネットワーク４を介して受信する。
【０１８０】
次に、機器制御部１２のコンテンツ読み出し手段１２ｇは、コンテンツ記録部１４からステップＳ６１０において受信したコンテンツＩＤに対応するコンテンツデータを読み出し（ステップＳ６１１）、通信端末送信手段１２ｆが、読み出したコンテンツデータを通信端末装置２Ａへ送信する（ステップＳ６１２）。具体的には、通信端末送信手段１２ｆの指示に基づいて、ネットワーク接続部１３が、コンテンツデータをネットワーク４を介して、通信端末装置２Ａに送信する。
【０１８１】
そして、通信端末装置２Ａの出力制御手段２２ｄは、コンテンツデータを受信すると、このコンテンツデータを、出力部２４に出力する（ステップＳ６１４）。
【０１８２】
以上のように、本発明に係る実施例２におけるネットワークシステム１０Ａによれば、携帯端末装置３Ａが、宅内に設置されたサーバ１から赤外線通信を用いて位置情報及び認証情報を受信し、この受信した位置情報及び認証情報を通信端末装置２Ａへ送信する。そして、通信端末装置２Ａが、この受信した認証情報を用いて、サーバ１に携帯端末装置３Ａの認証を要求するので、利用者が、サーバ１の位置情報及び認証情報を入力することなく、携帯端末装置３Ａは、容易にサーバ１から認証を受けることができる。
【０１８３】
このように、利用者は、外出先において、通信端末装置２Ａに向けて携帯端末装置３Ａを操作することにより、携帯端末装置３Ａがサーバ１からの認証を受け、認証後は、利用者が、通信端末装置２Ａを操作することにより、例えば、サーバ１が記憶しているコンテンツを視聴することができる等、サーバ１が提供する各種サービスを受けることができる。
【０１８４】
また、上述した実施例を、コンピュータにインストールしたサーバプログラムを実行させることによりサーバ１を構成させることもできる。すなわち、このサーバプログラムは、例えば、サーバプログラムが記憶された記録媒体から読み出され、ＣＰＵで実行されることによりサーバ１を構成するようにしてもよいし、通信ネットワークを介して伝送されてインストールされ、ＣＰＵで実行されることによりサーバ１を構成するようにしてもよい。
【０１８５】
通信端末装置２Ａ及び携帯端末装置３Ａについても、同様に、コンピュータにインストールした通信端末プログラム、又は携帯端末プログラムを実行させることにより通信端末装置２Ａ及び携帯端末装置３Ａを構成させることもできる。
【図面の簡単な説明】
【０１８６】
【図１】本発明に係る実施例１におけるネットワークシステムのシステム構成を示したシステム構成図である。
【図２】本発明に係る実施例１におけるネットワークシステムに備えられたサーバの構成を示した構成図である。
【図３】本発明に係る実施例１におけるネットワークシステムに備えられた通信端末装置の構成を示した構成図である。
【図４】本発明に係る実施例１におけるネットワークシステムに備えられた携帯端末装置の構成を示した構成図である。
【図５】本発明に係る実施例１におけるネットワークシステムにおける認証関連情報送受信処理の処理フローを示したシーケンス図である。
【図６】本発明に係る実施例１におけるネットワークシステムにおける認証処理の処理フローを示したシーケンス図である。
【図７】本発明に係る実施例１におけるネットワークシステムにおけるコンテンツ配信処理の処理フローを示したシーケンス図である。
【図８】本発明に係る実施例２におけるネットワークシステムのシステム構成を示したシステム構成図である。
【図９】本発明に係る実施例２におけるネットワークシステムに備えられた通信端末装置の構成を示した構成図である。
【図１０】本発明に係る実施例２におけるネットワークシステムに備えられた携帯端末装置の構成を示した構成図である。
【図１１】本発明に係る実施例２におけるネットワークシステムにおいて、携帯端末装置及び通信端末装置間における認証関連情報送受信処理の処理フローを示したシーケンス図である。
【図１２】本発明に係る実施例２におけるネットワークシステムにおける認証処理の処理フローを示したシーケンス図である。
【図１３】本発明に係る実施例２におけるネットワークシステムにおけるコンテンツ配信処理の処理フローを示したシーケンス図である。
【符号の説明】
【０１８７】
１…サーバ
２，２Ａ…通信端末装置
３，３Ａ…携帯端末装置
４…ネットワーク
１０，１０Ａ…ネットワークシステム
１１…近距離通信部
１２…機器制御部
１２ａ…携帯端末受信手段
１２ｂ…携帯端末送信手段
１２ｃ…パスワード生成手段
１２ｄ…認証判定手段
１２ｅ…通信端末受信手段
１２ｆ…通信端末送信手段
１２ｇ…コンテンツ読み出し手段
１３…ネットワーク接続部
１４…コンテンツ記録部
１５…認証情報記憶部
２１…近距離通信部
２２，２２Ａ…機器制御部
２２ａ…携帯端末受信手段
２２ｂ…要求信号送信手段
２２ｄ…出力制御手段
２２ｅ…応答信号受信手段
２３…ネットワーク接続部
２４…出力部
２５…入力部
２６…認証関連情報記憶部
３１…近距離通信部
３２，３２Ａ…機器制御部
３２ａ…サーバ送受信手段
３２ｂ…通信端末送信手段
３２ｃ…通信端末送信手段
３３…認証関連情報記憶部
３４…入力部
【図１】
2009163613.tif 000003
【図２】
2009163613.tif 000004
【図３】
2009163613.tif 000005
【図４】
2009163613.tif 000006
【図５】
2009163613.tif 000007
【図６】
2009163613.tif 000008
【図７】
2009163613.tif 000009
【図８】
2009163613.tif 000010
【図９】
2009163613.tif 000011
【図１０】
2009163613.tif 000012
【図１１】
2009163613.tif 000013
【図１２】
2009163613.tif 000014
【図１３】
2009163613.tif 000015